(57)【特許請求の範囲】
【請求項１】
片面が第１の膜で覆われ他面が第２の膜で覆われた半リング形状又は完全リング形状の第１の引掛け部と、片面が第３の膜で覆われ他面が第４の膜で覆われた半リング形状又は完全リング形状の第２の引掛け部と、一方の先端が前記第１の膜に連続し他方の先端が前記第３の膜に連続する長尺形状の第１のバンド部と、一方の先端が前記第２の膜に連続し他方の先端が前記第４の膜に連続する長尺形状の第２のバンド部とを備え、且つ弾性を有する指掛けバンドであって、
前記第１の引掛け部と前記第１及び第２の膜がタッチパネルを備えた４角板形状のコンピュータ機器の第１の角部に弾性をもって係合し、前記第２の引掛け部と前記第３及び第４の膜が前記コンピュータ機器の前記第１の角部と対角線方向の第２の角部に弾性をもって係合し、前記第１及び第２のバンド部が前記コンピュータ機器の裏面に位置するように、前記コンピュータ機器に取り付けられることを特徴とする指掛けバンド。
【請求項２】
片面が第１の膜で覆われ他面が第２の膜で覆われた半リング形状又は完全リング形状の第１の引掛け部と、片面が第３の膜で覆われ他面が第４の膜で覆われた半リング形状又は完全リング形状の第２の引掛け部と、片面が第５の膜で覆われ他面が第６の膜で覆われた半リング形状又は完全リング形状の第３の引掛け部と、片面が第７の膜で覆われ他面が第８の膜で覆われた半リング形状又は完全リング形状の第４の引掛け部と、前記第１、第３、第５及び第７の膜にそれぞれ連続する４つの先端を有する４つ足形状の第１のバンド部と、前記第２、第４、第６及び第８の膜にそれぞれ連続する４つの先端を有する４つ足形状の第２のバンド部とを備え、且つ弾性を有する指掛けバンドであって、
前記第１の引掛け部と前記第１及び第２の膜がタッチパネルを備えた４角板形状のコンピュータ機器の第１の角部に弾性をもって係合し、前記第２の引掛け部と前記第３及び第４の膜が前記コンピュータ機器の前記第１の角部と対角線方向の第２の角部に弾性をもって係合し、前記第３の引掛け部と前記第５及び第６の膜が前記コンピュータ機器の第３の角部に弾性をもって係合し、前記第４の引掛け部と前記第７及び第８の膜が前記コンピュータ機器の前記第３の角部と対角線方向の第４の角部に弾性をもって係合し、前記第１及び第２のバンド部が前記コンピュータ機器の裏面に位置するように、前記コンピュータ機器に取り付けられることを特徴とする指掛けバンド。
【発明の詳細な説明】
【技術分野】
【０００１】
本発明は、スマートホン等のタッチパネルを備えたコンピュータ機器を片手で保持して片手で操作できるようにした指掛けバンドに関するものである。
【背景技術】
【０００２】
スマートホンにはその外形とほぼ同じ大きさの表示パネルが装備され、その表示パネルは同時にタッチパネルとなっている。そして、そのタッチパネルは、右利きの人の場合は、左手でスマートホン全体を保持して表示パネルを上方に向けた状態で右手の指で操作する必要があり、両手が必要となる。つまり、スマートホンは通常では片手では操作することができない。
【０００３】
そこで、スマートホンを片手で操作できるように、スマートホンをハードケースに取り付け、そのハードケースに指掛けバンドを取り付けたものが、例えば特許文献１で提案されている。
【先行技術文献】
【特許文献】
【０００４】
【特許文献１】実用新案登録第３１９１９４４号公報
【発明の概要】
【発明が解決しようとする課題】
【０００５】
しかしながら、特許文献１に記載の指掛けバンドを使用するには、スマートホンに取り付けられるハードケースが必ず必要となる。
【０００６】
本発明の目的は、ハードケースを使用せずともスマートホン等のタッチパネルを備えたコンピュータ機器を片手で操作できるようにした指掛けバンドを提供することである。
【課題を解決するための手段】
【０００７】
上記目的を達成するために、請求項１にかかる発明は、片面が第１の膜で覆われ他面が第２の膜で覆われた半リング形状又は完全リング形状の第１の引掛け部と、片面が第３の膜で覆われ他面が第４の膜で覆われた半リング形状又は完全リング形状の第２の引掛け部と、一方の先端が前記第１の膜に連続し他方の先端が前記第３の膜に連続する長尺形状の第１のバンド部と、一方の先端が前記第２の膜に連続し他方の先端が前記第４の膜に連続する長尺形状の第２のバンド部とを備え、且つ弾性を有する指掛けバンドであって、前記第１の引掛け部と前記第１及び第２の膜がタッチパネルを備えた４角板形状のコンピュータ機器の第１の角部に弾性をもって係合し、前記第２の引掛け部と前記第３及び第４の膜が前記コンピュータ機器の前記第１の角部と対角線方向の第２の角部に弾性をもって係合し、前記第１及び第２のバンド部が前記コンピュータ機器の裏面に位置するように、前記コンピュータ機器に取り付けられることを特徴とする。
【０００８】
請求項２にかかる発明は、片面が第１の膜で覆われ他面が第２の膜で覆われた半リング形状又は完全リング形状の第１の引掛け部と、片面が第３の膜で覆われ他面が第４の膜で覆われた半リング形状又は完全リング形状の第２の引掛け部と、片面が第５の膜で覆われ他面が第６の膜で覆われた半リング形状又は完全リング形状の第３の引掛け部と、片面が第７の膜で覆われ他面が第８の膜で覆われた半リング形状又は完全リング形状の第４の引掛け部と、前記第１、第３、第５及び第７の膜にそれぞれ連続する４つの先端を有する４つ足形状の第１のバンド部と、前記第２、第４、第６及び第８の膜にそれぞれ連続する４つの先端を有する４つ足形状の第２のバンド部とを備え、且つ弾性を有する指掛けバンドであって、前記第１の引掛け部と前記第１及び第２の膜がタッチパネルを備えた４角板形状のコンピュータ機器の第１の角部に弾性をもって係合し、前記第２の引掛け部と前記第３及び第４の膜が前記コンピュータ機器の前記第１の角部と対角線方向の第２の角部に弾性をもって係合し、前記第３の引掛け部と前記第５及び第６の膜が前記コンピュータ機器の第３の角部に弾性をもって係合し、前記第４の引掛け部と前記第７及び第８の膜が前記コンピュータ機器の前記第３の角部と対角線方向の第４の角部に弾性をもって係合し、前記第１及び第２のバンド部が前記コンピュータ機器の裏面に位置するように、前記コンピュータ機器に取り付けられることを特徴とする。
【発明の効果】
【００１１】
本発明によれば、タッチパネルを備えたコンピュータ機器に取り付けた指掛けバンドのバンド部とそのコンピュータ機器の裏面との間に親指以外の１又は２以上の指をかけることにより、そのコンピュータ機器を片手で保持しながら当該片手の親指でそのコンピュータ機器のタッチパネルを操作することができることはもちろんのこと、指掛けバンドのコンピュータ機器への取り付けに従来のような保護用ハードカバーを用いる必要はなく、しかもコンピュータ機器の角部分を指掛けバンドの引掛け部で衝撃に対して保護することができる。
【図面の簡単な説明】
【００１２】
【図１】本発明の第１の実施例の指掛けバンドを示し、（ａ）は平面図、（ｂ）は（ａ）のｂ−ｂ断面図である。
【図２】図１の指掛けバンドをスマートホンに取り付けた説明図である。
【図３】本発明の第２の実施例の指掛けバンドの断面図である。
【図４】本発明の第３の実施例の指掛けバンドの平面図である。
【図５】本発明の第４の実施例の指掛けバンドを示し、（ａ）は平面図、（ｂ）は（ａ）のｂ−ｂ断面図である。
【発明を実施するための形態】
【００１３】
＜第１の実施例＞
図１に本発明の第１の実施例の指掛けバンド１００Ａを示す。１１，１３は引掛け部であり、それぞれ厚みがＨの半リング形状（馬蹄形状）に形成されている。この引掛け部１１，１３は、その片面の全面が膜２１，２３によって覆われている。３１はバンド部であり、一方の先端は引掛け部１１の半リング形状の開放側において膜２１に連続し、他方の先端は引掛け部１３の半リング形状の開放側において膜２３に連続するように、長尺形状に形成されている。膜２１，２３及びバンド部３１は１枚の膜で形成できる。この指掛けバンド１００Ａの全体は、例えばシリコンゴムで形成することにより、引掛け部１１と膜２１の組、引掛け部１３と膜２３の組、バンド部３１のすべてに弾性を持たせることができ、矢印Ｐ方向に伸縮させることが可能となる。
【００１４】
図２はこの指掛けバンド１００Ａをスマートホン２００の裏面２１０に取り付けた状態を示す図である。この取り付けは、引掛け部１１の内側（膜２１のない側）と引掛け部１３の内側（膜２３のない側）を、スマートホン２００の４つの角部２０１，２０２，２０３，２０４の内の対角線方向の角部２０１と角部２０３にそれぞれ引っ掛けて行う。
【００１５】
これにより、指掛けバンド１００Ａは、スマートホン２００の裏面２１０に弾性を持って伸長した状態で斜めに取り付けられる。そして、指掛けバンド１００Ａのバンド部３１とスマートホン２００の裏面２１０との間には、引掛け部１１，１３の厚みＨに相当する空間が形成される。
【００１６】
そこで、スマートホン２００の裏面２１０において、その厚みＨの空間に例えば右手の中指や薬指を挿入すれば、そのスマートホン２００を裏面２１０から右手で保持できる。このとき、右手の親指は自由であり、スマートホン２００の表側のタッチパネルに届くので、そのタッチパネルを操作することができる。さらに、スマートホン２００の第１及び第３の角部２０１，２０３は指掛けバンド１００の引掛け部１１，１３及び膜２１，２３で保護されるので、スマートホン２００が落下した際にその角部２０１，２０３を保護することができる。なお、２１１はスマートホン２００のカメラレンズである。
【００１７】
＜第２の実施例＞
図３に本発明の第２の実施例の指掛けバンド１００Ｂを示す。本実施例の指掛けバンド１００Ｂは、第１の実施例で説明した指掛けバンド１００Ａに追加して、引掛け部１１の膜２１の側と反対側を膜２１’で覆い、引掛け部１３の膜２３の側と反対側を膜２３’で覆い、さらにそれら膜２１’、２３’と連続するようにバンド部３１’を設けたものである。なお、この指掛けバンド１００Ｂも全体の材質はシリコンゴムである。
【００１８】
指掛けバンド１００Ｂをこのような構造にすると、指掛けバンド１００Ｂの両面が膜２１，２３，２１’，２３’やバンド部３１，３１’で覆われるので、指掛けバンド１００Ａよりも補強される。また、引掛け部１１は膜１２，２１’で両面が覆われ、引掛け部１３も膜２３，２３’で両面が覆われて、それらの面に直交する方向に対する弾性反発力が大きくなるので、スマートホン２００の角部２０１，２０３に引っ掛け部１１，１３を引掛けた際のその角部２０１，２０３の衝突に対する保護機能が強化される。なお、親指以外の指は、バンド部３１、３１’の間に挿入することも、あるいは２枚のバンド部３１、３１’とスマートホン２００の裏面２１０との間に挿入することもできる。
【００１９】
＜第３の実施例＞
図４に本発明の第３の実施例の指掛けバンド１００Ｃを示す。本実施例の指掛けバンド１００Ｃは、第１の実施例の指掛けバンド１００Ａを発展させて、引掛け部１２，１４を新たに追加して設けて、その片面を膜２２，２４で覆う。さらに、４つの先端が引掛け部１１，１２，１３，１４の膜２１，２２，２３，２４のそれぞれに連続するような４つ足形状のバンド部３２を設けたものである。なお、この指掛けバンド１００Ｃも全体の材質はシリコンゴムである。
【００２０】
指掛けバンド１００Ｃをこのような構造にすると、第１の実施例の指掛けバンド１００Ａのようにスマートホン２００に引っ掛けた際にそのスマートホン２００を片手で操作できる他に、スマートホン２００の４つの角部２０１〜２０４が膜２１〜２４でそれぞれ覆われるので、衝突に対してその保護がほぼ完璧となる。
【００２１】
なお、スマートホン２００のカメラレンズ２１１がバンド部３２で隠れる場合は、バンド部３２をそのカメラレンズ２１１が露出するような形状にしておけばよい。また、第２の実施例の指掛けバンド１００Ｂのように、この指掛けバンド１００Ｃの引掛け部１１〜１４の膜２１〜２４の反対面を膜（図示せず）で覆い、バンド部３２の裏面も別のバンド部（図示せず）で覆うことができ、これにより指掛けバンドのすべての強度を高めることができる。
【００２２】
＜第４の実施例＞
図５に本発明の第４の実施例の指掛けバンド１００Ｄを示す。本実施例の指掛けバンド１００Ｄは、第１の実施例の指掛けバンド１００Ａの半リング形状の引掛け部１１，１３を、完全リング形状の引掛け部１１Ａ、１３Ａに置き換えたものである。この場合でも、第１の実施例の指掛けバンド１００Ａと同様な作用効果を得ることができる。第２、第３の実施例の指掛けバンド１００Ｂ，１００Ｃにおいても、同様に、半リング形状の引掛け部１１，１２，１３，１４を完全リング形状の引掛け部に置き換えることができる。
【００２３】
＜その他の実施例＞
なお、以上の各実施例では、引掛け部と膜の組とバンド部とを伸縮する同じ材質（シリコンゴム）で製造する場合について説明したが、これに限られず、引掛け部と膜の組は伸縮する材質で製造しバンド部は伸縮しない材質で製造することができ、逆に、引掛け部と膜の組は伸縮しない材質で製造しバンド部は伸縮する材質で製造することができる。つまり、指掛けバンドが全体において伸縮性を備えるようにすればよい。
【００２４】
また、以上の実施例では、指掛けバンド１００Ａ，１００Ｂ，１００Ｃ，１００Ｄをスマートホン２００に取り付ける場合について説明したが、スマートホン２００以外でも、タッチパネルを備えた４角板形状の他のコンピュータ機器であれば、同様に取り付けてその操作性を向上させると共に保護機能向上を図ることができる。
【００２５】
さらに、以上の説明ではスマートホン２００を片手で操作できる利点を説明したが、両手を使用する使用方法にも適用できることはもちろんである。
【符号の説明】
【００２６】
１００Ａ，１００Ｂ，１００Ｃ，１００Ｄ：指掛けバンド
１１，１２，１３，１４，１１Ａ，１３Ａ：引掛け部
２１，２２，２３，２４，２１’，２３’：膜
３１，３１’，３２：バンド部
２００：スマートホン
２０１，２０２，２０３，２０４：角部
２１０：裏面、２１１：カメラレンズ
【要約】
【課題】ハードケースを使用せずともスマートホン等のタッチパネルを備えたコンピュータ機器を片手で操作できるようにした指掛けバンドを提供する。
【解決手段】指掛けバンド１００Ａは、片面が膜２１で覆われたリング形状の引掛け部１１と、片面が膜２３で覆われたリング形状の引掛け部１３と、一方の先端が膜２１に連続し他方の先端が膜２３に連続する長尺形状のバンド部３１とを備え、且つ弾性を有する。引掛け部１１と膜２１がスマートホン２００の角部２０１に係合し、引掛け部１３と膜２３がスマートホン２００の角部２０１と対角線方向の角部２０３に係合し、バンド部３１がスマートホン２００の裏面２１０に位置するようスマートホン２００に取り付ける。
【選択図】図２【図１】
0005937266.tif 000002
【図２】
0005937266.tif 000003
【図３】
0005937266.tif 000004
【図４】
0005937266.tif 000005
【図５】
0005937266.tif 000006